(57)【要約】【課題】デジタルＸ線撮影システムの撮影作業を簡素化する。【解決手段】撮影条件を自動的に検出して、撮影条件に合致した画像処理データベースを自動的に選択する。【選択図】      図１
2005006830.tif 000002
【特許請求の範囲】
【請求項１】
撮影条件を検出する手段と、撮影した画像を処理する条件を複数格納した複数のデータベースを持ち、該検出した撮影条件によってデータベースを自動的に選択することを特徴としたＸ線撮影システム。
【請求項２】
撮影条件を検出する手段は、センサの姿勢検出手段であることを特徴とした請求項１に記載のＸ線撮影システム。
【発明の詳細な説明】
【０００１】
【発明の属する技術分野】
本発明は、Ｘ線撮影システムに関する。
【０００２】
【従来の技術】
最近、受けたＸ線の量に応じて電荷に変換する素子を平面に配置し、Ｘ線をデジタル値として取り込み、平面画像を形成するの放射線デジタル撮影システム（以下ＤＲと称す）が発売されるようになった。ＤＲは、Ｘ線画像をデジタル値で取得することを可能にするため、画像をコンピュータ上で処理、編集可能になるという利点がある。
【０００３】
また近年ＤＲでは、撮影した画像をそのまま表示・印刷するだけでなく、撮影部位毎または撮影姿勢毎に最適な画像処理を施す装置も販売されており、その画像処理によって作成された画像は、正確な診断や患部の早期発見に貢献している（例えば、特許文献１参照）。
【０００４】
さて、撮影部位毎、撮影姿勢毎に最適な画像処理を行うためには、画像処理を行う前に、撮影部位と姿勢に関する情報を入力する必要がある。現在販売されている製品の多くは撮影前に撮影部位と姿勢に関する情報を入力している。
【０００５】
図６は、撮影姿勢毎、撮影部位毎に最適な画像処理を実施するために、その方法を選択することを目的としたＧＵＩの例である。この例では、同じ胸部正面であっても、立位と臥位では画像処理方法が異なるものとする。
【０００６】
さて以下に従来の最適な画像処理を選択する処理の流れを説明する。まず、立位・臥位のどちらの処理であるかを選択するために、タブを選択する。次に、撮影部位を決定するために、複数の選択肢から一つだけを選択する機能を持つラジオボタンをクリックする。
【０００７】
次に、Ｘ線発生装置のＸ線ばく射ボタンを押下する。
【０００８】
【特許文献１】
特開２０００−１９７６２３号公報（第２−４頁、第１図）
【０００９】
【発明が解決しようとする課題】
従来のシステムでは、最適な画像を得るために立位・臥位の部位ボタンのグループを正確に毎回選択する必要がある。
【００１０】
しかし技師にとっては、画像処理の方法を選択する画面で、立位・臥位のタブを選択する操作は煩わしいものであり、さらには、この選択を間違えて立位用の画像処理方法で、臥位の画像を処理してしまうなど間違いが発生し、最適な画像処理を行うことができないという問題点があった。
【００１１】
【課題を解決するための手段】
本発明の目的は、撮影条件を検出する手段と、撮影した画像を処理する条件を複数格納した複数のデータベースを持ち、該検出した撮影条件によってデータベースを自動的に選択することを特徴としたＸ線撮影システムを用いることによって、上記問題点を解決することである。
【００１２】
【発明の実施の形態】
以下、本発明の第一の実施例について図面を参照して説明する。
【００１３】
図３は、本発明に用いる放射線デジタル撮影システムの模式図である。図３において、１０１はＸ線の強度に応じて電荷を発生する素子を平面に配置したセンサ、１０２はセンサの姿勢を検知する姿勢検知部、１０はセンサと姿勢検知部を一体成型したセンサユニットである。また１１はセンサユニットで取得した画像を処理してプリンタ等に出力する画像生成部である。尚、画像生成部は照射野の抽出や感度補正、縮小補正等を実施する画像処理部１１１、立位用の撮影条件・画像処理条件等が保存されている立位ＤＢ１１３、臥位用の撮影条件・画像処理条件等が保存されている臥位ＤＢ１１４、画像処理部１１１で処理が終了した画像をプリンタに出力するプロトコルを司る画像出力部１１２で構成される。
【００１４】
また、画像処理部１１１には、複数の画像処理方法をオペレータに提示するためのディスプレイ４０と、複数の画像処理方法の中からオペレータが一つを選択するために使用するマウス４１が接続されている。
【００１５】
姿勢センサの説明（図１）
さて、図１はセンサユニット１０内の姿勢検知部１０２の部分切欠側面図である。姿勢検知部１０２には重力方向Ｂに対する姿勢を検知するための姿勢検知手段１９が設けられている。姿勢検知手段１９の支軸２１は、センサユニット１０の一側壁２０ａの内面にＢ方向と直交すると共に、立設された受像部２０の受像面２０Ｂに平行な方向に向けて設けられている。支軸２１にはアーム２２が回転自在に支持され、アーム２２の一端には突起２３が設けられ、他端には重錘２４が設けられている。アーム２２は重錘２４の作用によりＣ方向に回転し、突起２３は支軸２１を中心として移動可能とされている。
【００１６】
また、受像部２０の側壁２０ａにはマイクロスイッチ２５が取り付けられており、マイクロスイッチ２５のアクチュエータ２６はアーム２２の突起２３の移動方向に配置され、突起２３の作用を受けるようにされている。アクチュエータ２６は受像部２０が水平状態にあるときにアーム２２をＣ方向に４５度回転させ、重錘２４の作用で移動する突起２３の作用を受けて、マイクロスイッチ２５をオンにするようになっている。尚、センサユニット１０を立位で使用する場合は、Ｄ方向が天井を向くように使用される。
【００１７】
Ｘ線撮影の臥位の説明（図４）
また図４は、本発明の実施例の説明に用いる臥位の撮影の様子を示した図である。図４において、１はＸ線発生装置、２はＸ線発生装置１から出力されたＸ線を人体の一部に限定照射するための照射野絞り、３はＸ線を照射する人体、４はＸ線、１０はセンサユニットである。センサユニット１０は、不図示のＸ線画像生成部に接続されている。この図ように、臥位の撮影では、センサユニット１０が床面に平行に設置される。すなわち、姿勢検知部１０２のマイクロスイッチ２５がＯＮとなる。
【００１８】
Ｘ線撮影の立位の説明（図５）
また図５は、本発明の実施例の説明に用いる立位の撮影の様子を示した図である。図５において、１はＸ線発生装置、２はＸ線発生装置１から出力されたＸ線を人体の一部に限定照射するための照射野絞り、３はＸ線を照射する人体、４はＸ線、１０はセンサユニットである。センサユニット１０は、不図示のＸ線画像生成部に接続されている。この図のように、立位の撮影では、センサユニット１０が床面に垂直に設置される。すなわち、姿勢検知部１０２のマイクロスイッチ２５がＯＦＦとなる。
【００１９】
ところで病院によっては、立位用の架台と管球、および臥位用の架台と管球を一部屋に設置している場合がある。こうすると立位・臥位の撮影を一部屋で実施可能になり、またＸ線センサを１枚購入すればよいので経済的である。但し、立位用架台、臥位用架台の両方の架台とも、センサが着脱容易な構造になっている必要がある。
【００２０】
さて以上述べたことを踏まえて、本発明のＸ線画像を撮影して出力するまでの処理の流れを図２、図６を用いて説明する。
【００２１】
まず、センサが臥位で使用されているか否かを検出する。実際には姿勢検知部１０２のマイクロスイッチ２５がＯＮかＯＦＦかを判断する（Ｓｔｅｐ１００）。
【００２２】
もし、マイクロスイッチ２５がＯＦＦの場合は、センサユニット１０が立位で使われていることになるのでＳｔｅｐ１０１に進む。逆にマイクロスイッチ２５がＯＮの場合は、センサユニット１０が臥位で使われていることになるので、Ｓｔｅｐ１０２に進む。
【００２３】
Ｓｔｅｐ１０１では、図６Ａに示すようにユーザーが立位タブを選択した状態に自動的にしてディスプレイ４０に表示する。それと同時に画像生成部１１内の立位ＤＢ１１３から画像処理条件を全て検索する。尚、画像処理条件には、全てユニークな名称が付されており、その名称をラジオボタンのラベルとして表示するものとする。本実施例では、立位ＤＢ１１３には、“胸部正面”と“胸部側面”の名前が付された二つの画像処理条件が保存されているため、図６Ａのようにディスプレイ４０に表示する。
【００２４】
Ｓｔｅｐ１０２では、図６Ｂに示すようにユーザーが臥位タブを選択した状態に自動的にしてディスプレイ４０に表示する。それと同時に画像生成部１１内の臥位ＤＢ１１４から画像処理条件を全て検索する。本実施例では、臥位ＤＢ１１４には、“胸部正面”と“胸部側面”の名前が付された二つの画像処理条件が保存されているため、図６のようにディスプレイ４０に表示する。
【００２５】
このように立位用のＤＢを示すタブ、臥位用のＤＢを示すタブのどちらかが自動的に選択されたあと、Ｘ線撮影を行うオペレータはラジオボタンによって表示された画像処理条件をマウス４１によって選択し（Ｓｔｅｐ１０３）、Ｘ線発生装置のばく射ボタンを押しＸ線画像を撮影する（Ｓｔｅｐ１０４）。
【００２６】
次に、画像生成部１１１でオペレータが選択した画像処理条件も基づいて画像処理を行い（Ｓｔｅｐ１０５）、さらに画像出力部１１２においてプリンタ等にＸ線デジタルデータを出力する（Ｓｔｅｐ１０６）。
【００２７】
【発明の効果】
以上説明したように、本発明は撮影状態を自動的に判断して立位用画像処理データベースと臥位用画像処理データベースを自動的に自動的に切り替えるため、オペレータの作業負担を軽減することが可能である。さらに、オペレータが誤ってデータベースを選択することを未然に防ぐことで、ＤＲで撮影したＸ線画像に対して最適な画像処理を間違いなく施すことができるようになるため、結果的に誤診をも未然に防ぐことができる。
【００２８】
尚、上記実施例では、立位・臥位の撮影条件をセンサユニットの姿勢検知部で検出したが、例えば、架台のセンサユニットを設置する場所にマイクロスイッチ等の機構を備えて、立位・臥位の撮影条件を検出しても、本発明の効果は変わらない。
【図面の簡単な説明】
【図１】本発明に実施例に用いるセンサユニットの姿勢検知部の模式図。
【図２】本発明に係る処理の手順を示したフローチャート。
【図３】本発明の実施例の説明に用いる撮影システム。
【図４】本発明の実施例の説明に用いる撮影システムの臥位の撮影状態を示す図。
【図５】本発明の実施例の説明に用いる撮影システムの立位の撮影状態を示す図。
【図６】本発明の実施例の説明に用いる、画像処理条件のデータベースを選択する機能と画像処理条件を選択する機能を提供するプログラムのＧＵＩのイメージ図。
【符号の説明】
１  Ｘ線発生装置
２  照射野絞り
３  人体
４  Ｘ線
５  臥位架台
６  立位架台
３０  管球
１０  センサユニット
【図１】
2005006830.tif 000003
【図２】
2005006830.tif 000004
【図３】
2005006830.tif 000005
【図４】
2005006830.tif 000006
【図５】
2005006830.tif 000007
【図６】
2005006830.tif 000008